(57)【要約】【課題】家庭、オフィス以外の場所、例えば自動車内において、パソコンのキーボード、マウスを使用しないで簡単な構成の入力装置を操作することにより、一般的なウェブブラウザによって簡便にウェブページを閲覧する。【解決手段】ウェブブラウザ装置は、取得されたウェブページ内の１または複数の所定箇所に仮リンク元を付加するように同ウェブページを編集し（ステップ２０２〜２０８）、この編集されたウェブページを表示装置に表示する。ウェブブラウザ装置のホイールスイッチを回転させることにより、ウェブページにすでに配置されているリンク元、およびステップ２０６にて追加された仮リンク元のなかから選択された一のリンク元または仮リンク元を次または前に位置するリンク元および仮リンク元へと移動させて、ウェブページの表示をスクロールする。【選択図】  図５
2004295660.tif 000002
【特許請求の範囲】
【請求項１】
ウェブページを表示装置に表示するウェブページ表示手段と、
前記表示装置に前記ウェブページを表示するために操作される操作装置とを備えたウェブブラウザ装置において、
前記ウェブページ表示手段により表示されるウェブページ内の１または複数の所定箇所に仮リンク元を付加するように同ウェブページを編集するウェブページ編集手段をさらに備え、
該ウェブページ編集手段により編集されたウェブページを前記表示装置に表示することを特徴とするウェブブラウザ装置。
【請求項２】
ウェブページを車両内に設けられた表示装置に表示するウェブページ表示手段と、
前記車両内に設けられて前記表示装置に前記ウェブページを表示するために操作される操作装置とを備えたウェブブラウザ装置において、
前記ウェブページ表示手段により表示されるウェブページ内の１または複数の所定箇所に仮リンク元を付加するように同ウェブページを編集するウェブページ編集手段をさらに備え、
該ウェブページ編集手段により編集されたウェブページを前記表示装置に表示することを特徴とするウェブブラウザ装置。
【請求項３】
ウェブサーバからネットワークを介してウェブページを取得するウェブページ取得手段と、
該ウェブページ取得手段により取得されたウェブページを表示する表示装置と、
該表示装置に前記ウェブページを表示するために操作される操作装置とを備えたウェブブラウザ装置において、
前記ウェブページ取得手段により取得されたウェブページ内の１または複数の所定箇所に仮リンク元を付加するように同ウェブページを編集するウェブページ編集手段をさらに備え、
該ウェブページ編集手段により編集されたウェブページを前記表示装置に表示することを特徴とするウェブブラウザ装置。
【請求項４】
請求項１乃至請求項３の何れか一項において、前記操作装置は、前記ウェブページにすでに配置されているリンク元、および前記ウェブページ編集手段により追加された仮リンク元のなかから選択された一のリンク元または仮リンク元を次または前に位置するリンク元および前記仮リンク元へと移動させるリンク元移動スイッチと、
前記リンク元から該リンク元にリンクするリンク先への移動を決定する決定スイッチと、
前記表示装置に直前に表示されたページに戻ることを決定する戻りスイッチとから構成されたことを特徴とするウェブブラウザ装置。
【請求項５】
請求項１乃至請求項４の何れか一項において、前記仮リンク元は前記ウェブページ内の文字列の各行または各段落の先頭に付加されたことを特徴とするウェブブラウザ装置。
【請求項６】
請求項４または請求項５において、前記リンク元移動スイッチはホイールスイッチから構成されたことを特徴とするウェブブラウザ装置。
【発明の詳細な説明】
【０００１】
【発明の属する技術分野】
本発明は、ウェブサーバからネットワークを介して取得されたウェブページを閲覧するウェブブラウザ装置に関し、特に車両に搭載されるウェブブラウザ装置に関する。
【０００２】
【従来の技術】
ウェブサーバ（Ｗｅｂ（Ｗｏｒｌｄ  Ｗｉｄｅ  Ｗｅｂの略）サーバ）からネットワークを介して取得されたウェブページを閲覧するウェブブラウザ装置（Ｗｅｂ（Ｗｏｒｌｄ  Ｗｉｄｅ  Ｗｅｂの略）ブラウザ装置）は知られている。家庭やオフィスにて一般的に使用されているウェブブラウザ装置としては、ウェブブラウザを搭載したパソコン本体と、このパソコン本体に接続されたＣＲＴ、液晶などの表示装置と、パソコン本体に接続されたマウス、キーボードなどの入力装置とを備えたパソコン（パーソナル・コンピュータ）が挙げられる。ウェブページ（Ｗｅｂ（Ｗｏｒｌｄ  Ｗｉｄｅ  Ｗｅｂの略）ページ）は、いわばパソコン用ウェブページであり、一般的にパソコンのキーボード、マウスを操作することを前提に作成されている。このようなウェブブラウザ装置に、一画面では表示できないほど長いウェブページを表示する場合において、ページの先端に向けて画面をスクロールするには、ポインタを画面（またはフレーム）内に移動させて「↑」キーを押すか、マウスのホイールスイッチをマウスの前方に向けて回し、またページの末尾に向けて画面をスクロールするには、「↓」キーを押すか、マウスのホイールスイッチをマウスの後方に向けて回す。このように、キーボード、マウスを操作することにより容易にウェブページを閲覧することができる。
【０００３】
一方近年、家庭、オフィス以外の場所、例えば自動車内でもウェブページを閲覧することが要請されている。この場合、上記ウェブブラウザ装置を家庭、オフィスで使用する場合と同様なシステムとして自動車に搭載すると、キーボードを設置する場所またはマウスを操作する平らな場所を確保するのは容易でない、運転中の運転者がキーボード、マウスを操作するのは容易ではない、などの問題が生じる。そこで、マウスと同様の機能を有する入力装置を自動車に搭載することが提案されている（例えば特許文献１）。この入力装置は８方向に可動する操作用ノブと、この操作用ノブの操作に抵抗感を付与するための反力発生装置（アクチュエータとしての電気モータから構成されている）とを備えている。
【０００４】
【特許文献１】
特開２００１−８４８７５号公報（第５〜７頁、第３，４，７図）
【０００５】
【発明が解決しようとする課題】
上記特許文献１の入力装置においては、反力発生装置を備えるので、装置自体が大型化・複雑化・高額化するという問題があった。また、一般のカーナビゲーション装置をそのまま使用した場合には、ウェブページがパソコン用に作成されているので、カーナビゲーション装置のブラウザ機能ではウェブページを正常に閲覧できない場合がある。
【０００６】
本発明は、上述した各問題を解消するためになされたもので、家庭、オフィス以外の場所、例えば自動車内において、パソコンのキーボード、マウスを使用しないで簡単な構成の入力装置を操作することにより、一般的なウェブブラウザによって簡便にウェブページを閲覧するウェブブラウザ装置を提供することを目的とする。
【０００７】
【課題を解決するための手段】
上記の課題を解決するため、請求項１に係る発明の構成上の特徴は、ウェブページを表示装置に表示するウェブページ表示手段と、表示装置にウェブページを表示するために操作される操作装置とを備えたウェブブラウザ装置において、  ウェブページ表示手段により表示されるウェブページ内の１または複数の所定箇所に仮リンク元を付加するように同ウェブページを編集するウェブページ編集手段をさらに備え、このウェブページ編集手段により編集されたウェブページを表示装置に表示することである。
【０００８】
また、請求項２に係る発明の構成上の特徴は、ウェブページを車両内に設けられた表示装置に表示するウェブページ表示手段と、車両内に設けられて表示装置にウェブページを表示するために操作される操作装置とを備えたウェブブラウザ装置において、ウェブページ表示手段により表示されるウェブページ内の１または複数の所定箇所に仮リンク元を付加するように同ウェブページを編集するウェブページ編集手段をさらに備え、このウェブページ編集手段により編集されたウェブページを表示装置に表示することである。
【０００９】
また、請求項３に係る発明の構成上の特徴は、ウェブサーバからネットワークを介してウェブページを取得するウェブページ取得手段と、このウェブページ取得手段により取得されたウェブページを表示する表示装置と、この表示装置にウェブページを表示するために操作される操作装置とを備えたウェブブラウザ装置において、ウェブページ取得手段により取得されたウェブページ内の１または複数の所定箇所に仮リンク元を付加するように同ウェブページを編集するウェブページ編集手段をさらに備え、このウェブページ編集手段により編集されたウェブページを表示装置に表示することである。
【００１０】
また、請求項４に係る発明の構成上の特徴は、請求項１乃至請求項３の何れか一項において、操作装置は、ウェブページにすでに配置されているリンク元、およびウェブページ編集手段により追加された仮リンク元のなかから選択された一のリンク元または仮リンク元を次または前に位置するリンク元および仮リンク元へと移動させるリンク元移動スイッチと、リンク元からこのリンク元にリンクするリンク先への移動を決定する決定スイッチと、表示装置に直前に表示されたページに戻ることを決定する戻りスイッチとから構成されたことである。
【００１１】
また、請求項５に係る発明の構成上の特徴は、請求項１乃至請求項４の何れか一項において、仮リンク元はウェブページ内の文字列の各行または各段落の先頭に付加されたことである。
【００１２】
また、請求項６に係る発明の構成上の特徴は、請求項４または請求項５において、リンク元移動スイッチはホイールスイッチから構成されたことである。
【００１３】
【発明の作用および効果】
上記のように構成した請求項１に係る発明においては、ウェブページ編集手段はウェブページ表示手段により表示されるウェブページ内の１または複数の所定箇所に仮リンク元を付加するようにウェブページを編集し、そして編集されたウェブページを表示装置に表示する。したがって、表示装置に１画面では表示しきれない長いウェブページを表示する際には、ウェブページに既設のリンク元があればこのリンク元と、ウェブページ編集手段により付加された仮リンク元をページの先頭から末尾に向けて（またはページの末尾から先頭に向けて）順番に表示させる操作を実行することにより、取得した長いウェブページを先頭から末尾に向けて（または末尾から先頭に向けて）スクロールすることができる。これによれば、パソコンのキーボード、マウスを使用しなくとも、一般的なウェブブラウザによって簡便にウェブページを閲覧することができる。
【００１４】
上記のように構成した請求項２に係る発明においては、ウェブページ編集手段はウェブページ表示手段により表示されるウェブページ内の１または複数の所定箇所に仮リンク元を付加するようにウェブページを編集し、そして編集されたウェブページを車両内に設けられた表示装置に表示する。したがって、表示装置に１画面では表示しきれない長いウェブページを表示する際には、ウェブページに既設のリンク元があればこのリンク元と、ウェブページ編集手段により付加された仮リンク元をページの先頭から末尾に向けて（またはページの末尾から先頭に向けて）順番に表示させる操作を実行することにより、取得した長いウェブページを先頭から末尾に向けて（または末尾から先頭に向けて）スクロールすることができる。これによれば、車両内において、パソコンのキーボード、マウスを使用しなくとも、一般的なウェブブラウザによって簡便にウェブページを閲覧することができる。
【００１５】
上記のように構成した請求項３に係る発明においては、ウェブページ編集手段はウェブページ取得手段により取得されたウェブページ内の１または複数の所定箇所に仮リンク元を付加するようにウェブページを編集し、そして編集されたウェブページを表示装置に表示する。したがって、表示装置に１画面では表示しきれない長いウェブページを表示する際には、ウェブページに既設のリンク元があればこのリンク元と、ウェブページ編集手段により付加された仮リンク元をページの先頭から末尾に向けて（またはページの末尾から先頭に向けて）順番に表示させる操作を実行することにより、取得した長いウェブページを先頭から末尾に向けて（または末尾から先頭に向けて）スクロールすることができる。これによれば、パソコンのキーボード、マウスを使用しなくとも、一般的なウェブブラウザによって簡便にウェブページを閲覧することができる。
【００１６】
上記のように構成した請求項４に係る発明においては、操作装置は、ウェブページにすでに配置されているリンク元、およびウェブページ編集手段により追加された仮リンク元のなかから選択された一のリンク元または仮リンク元を次または前に位置するリンク元および仮リンク元へと移動させるリンク元移動スイッチと、リンク元からこのリンク元にリンクするリンク先への移動を決定する決定スイッチと、表示装置に直前に表示されたページに戻ることを決定する戻りスイッチとから構成されているので、簡単なスイッチ操作により、ウェブページをスクロールし、リンク元からリンク先にリンクし、前のページに戻ることができる。
【００１７】
上記のように構成した請求項５に係る発明においては、仮リンク元はウェブページ内の文字列の各行または各段落の先頭に付加されるので、文書内容を飛ばすことなく確実に閲覧することができる。
【００１８】
上記のように構成した請求項６に係る発明においては、リンク元移動スイッチはホイールスイッチから構成されているので、ホイールスイッチを回すだけで簡単かつ確実にページをスクロールさせる。これにより、操作装置の操作性を向上させることができる。
【００１９】
【発明の実施の形態】
以下、本発明によるウェブブラウザ装置を車両に搭載した一実施の形態について説明する。図１はウェブブラウザ装置を搭載した車両（例えば自動車）内の状態を示す平面図であり、図２はウェブブラウザ装置の操作装置を示しており、図３はウェブブラウザ装置の構成を示すブロック図である。
【００２０】
ウェブブラウザ装置は、図３に示すように、制御装置１０を備えていて、制御装置１０には、通信装置１１、表示装置１２、記憶装置１３、操作装置２０が接続されている。通信装置１１は、制御装置１０がインターネットにアクセスするためのものであり、例えば携帯電話が挙げられる。表示装置１２は、図１に示すように、インスツルメントパネル１４の車幅方向中央に配置されており、例えばＣＲＴ、ＬＣＤなどが挙げられる。記憶装置１３は、ウェブページを閲覧（ブラウズ）するためのソフトウェアであるウェブブラウザ、取得したウェブページ、後述する編集されたウェブページを記憶するためのものである。ウェブブラウザとしては、インターネットエクスプローラ（Ｉｎｔｅｒｎｅｔ  Ｅｘｐｌｏｒｅｒマイクロソフト社製、以下ＩＥという）、ナビゲータ（Ｎｅｔｓｃａｐｅ  Ｎａｖｉｇａｔｏｒ  ネットスケープ社製、以下ナビゲータという）がよく知られている。本実施の形態においては、ウェブブラウザとしてはＩＥを使用する。
【００２１】
操作装置２０は、図１に示すように、運転席と助手席との間のコンソールボックス１５に設けられている。この操作装置２０は、主として図２（ａ）に示すように、隣接して配置されている決定スイッチ２１および戻りスイッチ２３と、両スイッチ２１，２３の間に配置されているリンク元移動スイッチであるホイールスイッチ２２から構成されている。
【００２２】
決定スイッチ２１は、押しボタン式スイッチであり、押すと回路が閉じ、離すと回路が開く形式のものである。この決定スイッチ２１は、ウェブページに設けられたリンク元からこのリンク元にリンクするリンク先への移動を決定するためのものである。戻りスイッチ２３も、決定スイッチ２１と同様に押しボタン式スイッチであり、押すと回路が閉じ、離すと回路が開く形式のものである。この戻りスイッチ２３は、表示装置１２に直前に表示されたページに戻ることを決定するためのものである。
【００２３】
ホイールスイッチ２２は、図２に示すように、円盤状に形成されており、回転軸２４が同軸に固定されている。回転軸２４の左右端部は支持部材２５、２５に回転可能に支承され、回転軸２４の右端部とその支持部材２５の間にはエンコーダが介在している。このエンコーダは、回転軸２４すなわちホイールスイッチ２２の回転方向、回転角を検出し、その検出結果を制御装置１０に出力している。
【００２４】
制御装置１０は、マイクロコンピュータ（図示省略）を有しており、マイクロコンピュータは、バスを介してそれぞれ接続された入出力インターフェース、ＣＰＵ、ＲＡＭおよびＲＯＭ（いずれも図示省略）を備えている。ＣＰＵは、図４〜６のフローチャートに対応したプログラムを実行して、ウェブサーバから取得したウェブページを表示装置１２に表示するものであり、ＲＯＭは前記プログラムを記憶するものである。なお、ＲＡＭに取得したウェブページ、後述する編集されたウェブページを記憶させてもよい。
【００２５】
次に、上述したウェブブラウザ装置の動作について図４〜図６を参照して説明する。制御装置１０は、図示しないイグニッションスイッチがオンされると、表示装置１２にメインメニュー画面を表示する。このメインメニュー画面には、複数のメニューがあり、その一つであるインターネットメニューが作業者としての運転者または同乗者によって選択され決定されると、制御装置１０は通信装置１１を介してネットワークであるインターネットに接続する。すなわち、作業者がホイールスイッチ２２を回転操作してインターネットメニューを選択し、決定スイッチ２１を押すと、制御装置１０は、ウェブサーバからインターネットを介してウェブページを取得して、そのウェブページを表示装置１２に表示する（ステップ１０２〜１０８）。
【００２６】
具体的には、制御装置１０は、ステップ１０２において、決定スイッチ２１が押されたので、プログラムをステップ１０４に進め、ステップ１０４において、ウェブサーバからインターネット、通信装置１１を介してウェブページを取得して、記憶装置１３に一旦記憶する。この取得されたウェブページは、マークアップ言語（例えばＨＴＭＬ：Ｈｙｐｅｒ  Ｔｅｘｔ  Ｍａｒｋｕｐ  Ｌａｎｇｕａｇｅ）で記述されている。
【００２７】
制御装置１０は、ステップ１０６において、取得したウェブページを編集する。すなわち、制御装置１０は、図５に示すフローチャートに沿ってプログラムを実行する。ステップ２０２において、取得したウェブページを記述したＨＴＭＬ形式のデータ（ソース）をウェブブラウザによって解析する。次に制御装置１０は、ウェブページ内の１または複数の所定箇所に仮リンク元（例えば「★」）を付加するように解析されたデータを編集する。仮リンク元の所定箇所としては、例えばウェブページ上に表示される文字列を延長した延長線上のいずれかの場所（例えば画面（ページ）の左端）、文字列の各行の行頭などが好ましい。制御装置１０は、データ中に文字列があるか否かを検出し（ステップ２０４）、文字列があることを検出すれば、この文字列の延長線上の左端に仮リンク元を付加するようにデータに「＜Ａ  ＮＡＭＥ＝”ａ”＞  ＜／Ａ＞＜Ａ  ＨＲＥＦ＝”＃ａ”＞★＜／Ａ＞」を追加し（ステップ２０６）、仮リンク元を追加したデータを記憶装置１３に記憶する。そして、プログラムをステップ２１０に進め、図５に示すフローチャートの処理を終了し、プログラムを図４のステップ１０８に戻す。
【００２８】
制御装置１０は、ステップ１０８において、編集したウェブページを表示する。すなわち、制御装置１０は、図６に示すフローチャートに沿ってプログラムを実行する。ステップ３０２においては、上述のように編集したウェブページを記憶装置１３から読み込んでウェブブラウザによって表示装置１２に表示する。すなわち、図７に示すように、仮リンク元である「★」が追加されたウェブページが表示される。このページには、画面上下方向の中央に右から順番に「サイトマップ」、「会社案内」、「株主投資家情報」、「採用情報」、「プレスリリース」である各文字列が並んでおり、「サイトマップ」の下には上から順番に「製品案内」、「ＡＯＯＯＯ」、「ＢＯＯＯＯ」、「ＣＯＯＯＯ」、「ＤＯＯＯＯ」、「ＥＯＯＯＯ」である各文字列が並んでいる。さらに、「サイトマップ」、「製品案内」、「ＡＯＯＯＯ」、「ＢＯＯＯＯ」、「ＣＯＯＯＯ」、「ＤＯＯＯＯ」、「ＥＯＯＯＯ」である各文字列の延長線上の左端には、仮リンク元としての「★」が配置されている。また、「サイトマップ」、「会社案内」、「株主投資家情報」、「採用情報」、「プレスリリース」、「製品案内」、「ＡＯＯＯＯ」、「ＢＯＯＯＯ」、「ＣＯＯＯＯ」、「ＤＯＯＯＯ」、「ＥＯＯＯＯ」はリンク先にリンクしている。
【００２９】
この表示画面において、操作者がホイールスイッチ２２を回転させると、選択されているリンク元または仮リンク元は次または前のリンク元または仮リンク元に移動する（ステップ３０４，３０６）。具体的には、ホイールスイッチ２２を後方（図２において下方）に回転させると、リンク元または仮リンク元は右方向または下方向に移動し、ホイールスイッチ２２を前方（図２において上方）に回転させると、リンク元または仮リンク元は左方向または上方向に移動する。最初に左上の「★」が選択されているときに、ホイールスイッチ２２を後方に回転させると、「サイトマップ」、「会社案内」、「株主投資家情報」、「採用情報」、「プレスリリース」、２番目の「★」、「製品案内」、・・・、左上の「★」の順に移動する。
【００３０】
操作者が「プレスリリース」を選択して決定スイッチ２１を押すと、制御装置１０は、プログラムをステップ３０８，３１２と進めステップ１０２に戻して、ステップ１０４において、「プレスリリース」のリンク先であるウェブページをウェブサーバから取得する。そして、上述と同様にこのウェブページを編集して表示装置１２に表示する。すなわち、図８に示すように、仮リンク元である「★」が追加されたウェブページが表示される。このページには、上から順番に「プレスリリース」、「最新のニュース」、「ＡＯＯＯＯ」、「ＢＯＯＯＯ」、「ＣＯＯＯＯ」、「ＤＯＯＯＯ」、「ＥＯＯＯＯ」、「ＦＯＯＯＯ」、「ＧＯＯＯＯ」、「ＨＯＯＯＯ」である各文字列が並んでいる。さらに、これら各文字列の延長線上の左端には、仮リンク元としての「★」が配置されている。また、「ＡＯＯＯＯ」〜「ＨＯＯＯＯ」はそれぞれリンク先にリンクしている。
【００３１】
操作者がホイールスイッチ２２を回転して「ＡＯＯＯＯ」を選択して決定スイッチ２１を押すと、制御装置１０は、プログラムをステップ３０８，３１２と進めステップ１０２に戻して、ステップ１０４において、「ＡＯＯＯＯ」のリンク先であるウェブページをウェブサーバから取得する。そして、上述と同様にこのウェブページを編集して表示装置１２に表示する。このページには、上から順番に「プレスリリース」、「ＡＯＯＯＯ」、「１．・・・」、「２．・・・」、「３．・・・」、「４．・・・」、「５．・・・」である各文字列が並んでいる。
さらに、これら各文字列の延長線上の左端には、仮リンク元としての「★」が配置されている。「１．・・・」〜「５．・・・」の各段落においては、数行の文字列からなっており、これら文字列の延長線上の左端に仮リンク元としての「★」が配置されている。
【００３２】
このウェブページは１画面では表示できない長いページであり、当初は図９に示すようにページの上半分が表示される。操作者がホイールスイッチ２２を後方に回転すると、当初選択されている最上の仮リンク元「★」から下の仮リンク元へ移動する。最下の仮リンク元「★」まで移動すると、この仮リンク元の移動によりウェブページは下向きにスクロールして図１０に示すようにページの下半分を表示する（ステップ３０４，３０６）。そして、操作者がホイールスイッチ２２を前方に回転すると、最下の仮リンク元「★」から上の仮リンク元へ移動する。最上の仮リンク元「★」まで移動すると、この仮リンク元の移動によりウェブページは上向きにスクロールして再び図９に示すようにページの上半分を表示する（ステップ３０４，３０６）。
【００３３】
なお、操作者がホイールスイッチ２２を回転させなければ、リンク元または仮リンク元は移動しないので、ウェブページをそのまま表示する（ステップ３０４、３１４）。また、あるウェブページを表示している状態で、操作者が戻りスイッチ２３を押すと、前回表示したページを表示する（ステップ３０８，３１０またはステップ３１６，３１８）。例えば、図９の表示状態にて操作者が戻りスイッチ２３を押すと、前回表示したページすなわち図８の表示状態を表示する。
【００３４】
上述した説明から理解できるように、この実施の形態においては、ステップ２０２〜ステップ２０８において、ステップ１０４にて取得されたウェブページ内の１または複数の所定箇所に仮リンク元を付加するようにウェブページを編集し、そして、ステップ３０２〜３１８において、編集されたウェブページを車両内の表示装置１２に表示する。したがって、表示装置に１画面では表示しきれない長いウェブページを表示する際には、ウェブページに既設のリンク元があればこのリンク元と、ステップ２０６にて付加された仮リンク元をページの先頭から末尾に向けて（またはページの末尾から先頭に向けて）順番に表示させる操作を実行することにより、取得した長いウェブページを先頭から末尾に向けて（または末尾から先頭に向けて）スクロールすることができる。これによれば、車両内（自動車内）において、パソコンのキーボード、マウスを使用しなくとも、一般的なウェブブラウザによって簡便にウェブページを閲覧することができる。
【００３５】
また、上記実施の形態のウェブブラウザ装置によれば、家庭、オフィス以外の場所において、パソコンのキーボード、マウスを使用しなくとも、一般的なウェブブラウザによって簡便にウェブページを閲覧することができる。この場合には、使用する場所に応じた表示装置、操作装置を使用するのが好ましい。
【００３６】
また、上記実施の形態においては、操作装置２０は、ウェブページにすでに配置されているリンク元、およびステップ２０６にて追加された仮リンク元のなかから選択された一のリンク元または仮リンク元を次または前に位置するリンク元および仮リンク元へと移動させるリンク元移動スイッチであるホイールスイッチ２２と、リンク元からこのリンク元にリンクするリンク先への移動を決定する決定スイッチ２１と、表示装置１２に直前に表示されたページに戻ることを決定する戻りスイッチ２２とから構成されているので、簡単なスイッチ操作により、ウェブページをスクロールし、リンク元からリンク先にリンクし、前のページに戻ることができる。
【００３７】
また、上記実施の形態においては、仮リンク元はウェブページ内の文字列の各行または各段落の先頭に付加されるので、文書内容を飛ばすことなく確実に閲覧することができる。
【００３８】
また、上記実施の形態においては、リンク元移動スイッチはホイールスイッチ２２から構成されているので、ホイールスイッチを回すだけで簡単かつ確実にページをスクロールさせる。これにより、操作装置の操作性を向上させることができる。
【００３９】
なお、上記実施の形態においては、制御装置１０がウェブサーバからインターネットを介してウェブページを取得したが、予め、工場出荷時等に、記憶装置１３にウェブページを記憶させておきこの記憶させたウェブページを読み出すようにしてもよい。また、制御装置１０がＣＤ−ＲＯＭ、メモリーカードなどのメディアを介してウェブページを取得するようにしてもよい。
【００４０】
また、上記実施の形態においては、ステップ２０４にて、文字列を検出してその検出結果に基づいて仮リンク元を追加するようにしたが、例えば、取得したデータ中に改行挿入のタグ＜ＢＲ＞、段落挿入のタグ＜Ｐ＞、タグ＜ＰＲＥ＞などがあるか否かを検出するようにしてもよい。また、文字列を検出しないで、画面の左端に上下方向に所定の間隔にて仮リンク元を並べるようにしてもよい。この場合、表示画面の大きさを考慮して所定の間隔（例えば画面高さの１／５程度）を設定すればよい。
【００４１】
また、上記実施の形態においては、リンク元移動スイッチをホイールスイッチ２２で構成し、ホイールスイッチ２２の両側に決定スイッチ２１と戻りスイッチ２３を配置して構成した操作装置２０をコンソールボックス１５に設けるようにしたが、操作装置２０をこれ以外の場所に設けるようにしてもよい。また、操作装置をステアリングに設けるようにしてもよい。この場合、リンク元移動スイッチを上下に並べた２つの押しボタン型スイッチで構成し、これを中立状態のステアリングの３時（または９時）の位置に配置し、決定スイッチ２１と戻りスイッチ２３を上下に並べて同ステアリングの９時（または３時）の位置に配置する。
【図面の簡単な説明】
【図１】本発明によるウェブブラウザ装置の一実施の形態を搭載した自動車内の状態を示す平面図である。
【図２】（ａ）は図１に示す操作装置の平面図であり、（ｂ）は右側面図である。
【図３】本発明によるウェブブラウザ装置の一実施の形態の構成を示すブロック図である。
【図４】図３に示した制御装置にて実行される制御プログラムのフローチャートである。
【図５】図３に示した制御装置にて実行される制御プログラムのフローチャートである。
【図６】図３に示した制御装置にて実行される制御プログラムのフローチャートである。
【図７】図１に示す表示装置に表示されたウェブページを示す図である。
【図８】図１に示す表示装置に表示されたウェブページを示す図である。
【図９】図１に示す表示装置に表示されたウェブページを示す図である。
【図１０】図１に示す表示装置に表示されたウェブページを示す図である。
【符号の説明】
１０…制御装置、１１…通信装置、１２…表示装置、１３…記憶装置、１４…インスツルメントパネル、１５…コンソールボックス、２０…操作装置、２１…決定スイッチ、２２…ホイールスイッチ、２３…戻りスイッチ、２４…回転軸、２５…支持部材。
【図１】
2004295660.tif 000003
【図２】
2004295660.tif 000004
【図３】
2004295660.tif 000005
【図４】
2004295660.tif 000006
【図５】
2004295660.tif 000007
【図６】
2004295660.tif 000008
【図７】
2004295660.tif 000009
【図８】
2004295660.tif 000010
【図９】
2004295660.tif 000011
【図１０】
2004295660.tif 000012